(57)【要約】【課題】  開位置および閉位置の少なくとも一方における蓋体のがたつきを抑制可能な収容装置の開閉機構を提供することを課題とする。【解決手段】  収容装置の開閉機構１は、組み付け枠２０が区画された基体２と、組み付け枠２０に埋設され表面に収容口３００が開設された箱体３と、収容口３００を開閉可能に覆う蓋体４と、を備える。組み付け枠２０および箱体３のうち少なくとも一方は、ガイド部２１ａ、３１１ａを持ち、蓋体４は、ガイド部２１ａ、３１１ａに対応する被ガイド部４００を持ち、ガイド部２１ａ、３１１ａと被ガイド部４００との間隔は、蓋体４が収容口３００を開く開位置および蓋体４が収容口３００を閉じる閉位置のうち少なくとも一方において、最小になる。【選択図】  図１
2005047434.tif 000002
【特許請求の範囲】
【請求項１】
組み付け枠が区画された基体と、該組み付け枠に埋設され表面に収容口が開設された箱体と、該収容口を開閉可能に覆う蓋体と、を備えてなる収容装置の開閉機構であって、
前記組み付け枠および前記箱体のうち少なくとも一方は、ガイド部を持ち、
前記蓋体は、該ガイド部に対応する被ガイド部を持ち、
該ガイド部と該被ガイド部との間隔は、該蓋体が前記収容口を開く開位置および該蓋体が該収容口を閉じる閉位置のうち少なくとも一方において、最小になることを特徴とする収容装置の開閉機構。
【請求項２】
前記ガイド部は、開閉方向に延びるガイドリブであり、
前記被ガイド部は、該ガイドリブが収容される被ガイド凹部であり、
前記開位置および前記閉位置のうち少なくとも一方における該ガイドリブのリブ幅Ｌ１と、開閉途中位置における該ガイドリブのリブ幅Ｌ２と、該被ガイド凹部の凹部幅Ｓとは、Ｌ２＜Ｓ≦Ｌ１の関係を有している請求項１に記載の収容装置の開閉機構。
【請求項３】
前記ガイド部および前記被ガイド部は、前記蓋体の長手方向ほぼ中央に配置されている請求項１に記載の収容装置の開閉機構。
【請求項４】
前記ガイド部は、開閉時における前記被ガイド部の全軌道に亘って配置されている請求項１に記載の収容装置の開閉機構。
【請求項５】
前記ガイド部は少なくとも前記組み付け枠に配置されており、前記蓋体は前記箱体に組み付けられており、該箱体は前記基体に組み付けられている請求項１に記載の収容装置の開閉機構。
【請求項６】
さらに、前記蓋体は、前記開位置において該蓋体を収容する蓋体収容隙間に小物が入り込むのを抑制する複数の櫛歯を持ち、
前記被ガイド凹部は、複数の該櫛歯のうち隣り合う一対の櫛歯の間に区画されている請求項２に記載の収容装置の開閉機構。
【発明の詳細な説明】
【技術分野】
【０００１】
本発明は、例えばカップホルダや灰皿などの収容装置の開閉機構に関する。
【背景技術】
【０００２】
図６（ａ）に、従来のカップホルダの上面模式図を示す。また、図６（ｂ）に、（ａ）のＩ−Ｉ断面図を示す。カップホルダ１００は、センターコンソール１０４に区画された組み付け枠１０５に埋設されている。カップホルダ１００は、箱体１０１と蓋体１０２とを備えている。蓋体１０２は、箱体１０１に開閉可能に枢設されている。箱体１０１の長手方向両縁からは、一対の位置決めタグ１０３が突設されている。位置決めタグ１０３には、位置決め孔１０６が穿設されている。一方、センターコンソール１０４裏面からは、位置決め孔１０６に対向して位置決め突起１０７が突設されている。位置決め突起１０７が位置決め孔１０６に熱かしめされることにより、センターコンソール１０４に箱体１０１が組み付けられている。
【特許文献１】特開２００３−２５８９３号公報
【特許文献２】実開平５−３７５９２号公報
【特許文献３】実開平７−２６２５３号公報
【発明の開示】
【発明が解決しようとする課題】
【０００３】
しかし、従来のカップホルダ１００によると、開位置（蓋体１０２が箱体１０１の収容口１０８を開く位置）あるいは閉位置（蓋体１０２が箱体１０１の収容口１０８を閉じる位置）において、蓋体１０２ががたつくおそれがあった。
【０００４】
そこで、特許文献１には、蓋体のボスに嵌合した緩衝部材により、蓋体のがたつきを抑制するカップホルダが紹介されている。ところが、同文献のカップホルダーによると、緩衝部材を配置する分だけ、部品点数が比較的多くなる。また、緩衝部材は、常に蓋体および箱体に弾接している。このため、蓋体の開閉抵抗が大きくなる。また、特許文献２および特許文献３には、弾性部材の弾性力を利用して、閉位置における蓋体のがたつきを抑制するグローブボックスが紹介されている。ところが、これら文献のグローブボックスによると、インストルメントパネルの組み付け枠に対する蓋体の組み付け位置がずれた場合、組み付け枠と蓋体との間の隙間が偏在することになる。このため、弾性部材の弾性力のみでは、がたつきを抑制しきれない。
【０００５】
本発明の収容装置の開閉機構は、上記課題に鑑みて完成されたものである。したがって、本発明は、開位置および閉位置の少なくとも一方における蓋体のがたつきを抑制可能な収容装置の開閉機構を提供することを目的とする。
【課題を解決するための手段】
【０００６】
上記課題を解決するため、本発明の収容装置の開閉機構は、組み付け枠が区画された基体と、該組み付け枠に埋設され表面に収容口が開設された箱体と、該収容口を開閉可能に覆う蓋体と、を備えてなる収容装置の開閉機構であって、前記組み付け枠および前記箱体のうち少なくとも一方は、ガイド部を持ち、前記蓋体は、該ガイド部に対応する被ガイド部を持ち、該ガイド部と該被ガイド部との間隔は、該蓋体が前記収容口を開く開位置および該蓋体が該収容口を閉じる閉位置のうち少なくとも一方において、最小になることを特徴とする。本発明の収容装置の開閉機構によると、ガイド部と被ガイド部との隙間を調整することで、開位置および閉位置の少なくとも一方において、蓋体のがたつきを抑制することができる。なお、ここで「最小」には、ガイド部と被ガイド部との間隔が０になる場合も含まれる。
【０００７】
好ましくは、前記ガイド部は、開閉方向に延びるガイドリブであり、前記被ガイド部は、該ガイドリブが収容される被ガイド凹部であり、前記開位置および前記閉位置のうち少なくとも一方における該ガイドリブのリブ幅Ｌ１と、開閉途中位置における該ガイドリブのリブ幅Ｌ２と、該被ガイド凹部の凹部幅Ｓとは、Ｌ２＜Ｓ≦Ｌ１の関係を有している構成とする方がよい。Ｌ２＜Ｓとしたのは、開閉途中におけるガイドリブと被ガイド部との干渉を抑制するためである。Ｓ≦Ｌ１としたのは、開位置および前記閉位置のうち少なくとも一方において、より堅固に蓋体のがたつきを抑制するためである。
【０００８】
好ましくは、前記ガイド部および前記被ガイド部は、前記蓋体の長手方向ほぼ中央に配置されている構成とする方がよい。本構成によると、蓋体の長手方向ほぼ中央に、がたつき抑制の基準位置が設定されることになる。このため、組み付け枠と蓋体との間の隙間の偏在を抑制することができる。
【０００９】
好ましくは、前記ガイド部は、開閉時における前記被ガイド部の全軌道に亘って配置されている構成とする方がよい。本構成によると、開閉途中位置においても、ある程度の遊びを確保しながら蓋体のがたつきを抑制することができる。
【００１０】
好ましくは、前記ガイド部は少なくとも前記組み付け枠に配置されており、前記蓋体は前記箱体に組み付けられており、該箱体は前記基体に組み付けられている構成とする方がよい。前出図６の従来のカップホルダ１００によると、閉位置における蓋体１０２と組み付け枠１０５との間の隙間Ｄが比較的大きくなってしまう。あるいは、閉位置における蓋体１０２と組み付け枠１０５との間の隙間Ｄが偏在してしまう。その理由は、蓋体１０２は、箱体１０１を介して、間接的にセンターコンソール１０４に組み付けられているからである。すなわち、蓋体１０２は箱体１０１に組み付けられている。そして、箱体１０１はセンターコンソール１０４に組み付けられている。したがって、隙間Ｄには、センターコンソール１０４に対する箱体１０１の組み付け誤差と、箱体１０１に対する蓋体１０２の組み付け誤差とが反映されることになるからである。隙間Ｄが大きいと意匠性が低下する。また、隙間Ｄが偏在していてもやはり意匠性が低下する。
【００１１】
これに対し、本構成によると、被ガイド部は蓋体に、ガイド部は組み付け枠に、それぞれ配置されている。このため、被ガイド部とガイド部とにより、組み付け時における蓋体の組み付け誤差を吸収することができる。すなわち、蓋体と組み付け枠との位置合わせを行うことができる。したがって、本構成によると、前出図６のカップホルダ１００同様に蓋体は箱体を介して基体に組み付けられているにもかかわらず、閉位置における蓋体と組み付け枠との間の隙間を小さくすることができる。
【００１２】
好ましくは、さらに、前記蓋体は、前記開位置において該蓋体を収容する蓋体収容隙間に小物が入り込むのを抑制する複数の櫛歯を持ち、前記被ガイド凹部は、複数の該櫛歯のうち隣り合う一対の櫛歯の間に区画されている構成とする方がよい。本構成によると、小物入り込み抑制用の櫛歯を利用して、被ガイド凹部を配置することができる。このため、部品点数が少なくて済む。
【発明の効果】
【００１３】
本発明によると、ガイド部と被ガイド部との隙間を調整することで、開位置および閉位置の少なくとも一方において、蓋体のがたつきを抑制することができる収容装置の開閉機構を提供することができる。
【発明を実施するための最良の形態】
【００１４】
以下、本発明の収容装置の開閉機構（以下、単に「開閉機構」と略称する）を、車載用のカップホルダに用いた実施の形態について説明する。
【００１５】
（１）第一実施形態
まず、本実施形態の開閉機構の構成について説明する。図１に、本実施形態の開閉機構の分解斜視図を示す。開閉機構１は、センターコンソール２と箱体３と蓋体４とアーム５とを備えている。センターコンソール２は、本発明の基体に含まれる。センターコンソール２は、樹脂製であって板状を呈している。センターコンソール２は、運転席と助手席との間に配置されている。センターコンソール２には、前後方向に長い矩形状の組み付け枠２０が開設されている。組み付け枠２０の左縁壁には、枠側ガイドリブ２１が形成されている。枠側ガイドリブ２１は、下方に延在している。また、枠側ガイドリブ２１は、前後方向に１１本配列されている。このうち、中央の枠側ガイドリブ２１ａは、本発明のガイドリブに含まれる。
【００１６】
箱体３は、本体部３０と蓋体収容部３１とを備えている。本体部３０は、樹脂製であって箱状を呈している。本体部３０の上面には、収容口３００が開設されている。本体部３０の後壁外面右端からは、アーム揺動ボス３０１が突設されている。また、アーム揺動ボス３０１の上方からは、スプリング止着ボス３０４が突設されている。また、アーム揺動ボス３０１の左方には、弧状の箱体側ギア３０２が配置されている。箱体側ギア３０２の下方には、ダンパ固定筒部３０３が配置されている。ダンパ固定筒部３０３には、オイルダンパ６１が固定されている。一方、本体部３０の前壁外面には、アーム揺動ボスと箱体側ギアとが、後壁外面同様の位置関係で配置されている。
【００１７】
蓋体収容部３１は、本体部３０の左側に、本体部３０と一体に配置されている。蓋体収容部３１は、上下方向に延びる弧状ガイド壁３１０を備えている。弧状ガイド壁３１０には、上下方向に延びる箱体側ガイドリブ３１１が形成されている。また、箱体側ガイドリブ３１１は、前後方向に１１本配列されている。このうち、中央の箱体側ガイドリブ３１１ａは、本発明のガイドリブに含まれる。箱体側ガイドリブ３１１は、前記枠側ガイドリブ２１とつながっている。弧状ガイド壁３１０と本体部３０左壁とにより、蓋体収容隙間３１２が区画されている。
【００１８】
蓋体４は、樹脂製であって矩形板状を呈している。蓋体４の左縁からは、櫛歯４０が突設されている。櫛歯４０は前後方向に１２本配列されている。このうち、中央の一対の櫛歯４０ａ、４０ｂの間には、被ガイド凹部４００が区画されている。櫛歯４０と、前記枠側ガイドリブ２１および箱体側ガイドリブ３１１とは、互い違いになるように配置されている。そして、被ガイド凹部４００には、前記枠側ガイドリブ２１ａおよび箱体側ガイドリブ３１１ａが挿入されている。蓋体４の後端には、ハートカム４１が配置されている。また、ハートカム４１の右側には、蓋体側ギア４２が並設されている。蓋体側ギア４２の内径側には揺動孔４２０が穿設されている。蓋体側ギア４２と、前記箱体側ギア３０２とは噛合している。一方、蓋体４の前端には、蓋体側ギアが配置されている。この蓋体側ギアも、箱体３前端の箱体側ギアと噛合している。
【００１９】
アーム５は、樹脂製であって細板状を呈している。アーム５は、箱体３を挟んで前後に二つ配置されている。アーム５の右端には、揺動孔５０が穿設されている。揺動孔５０には、前記アーム揺動ボス３０１が挿入されている。したがって、アーム５は、アーム揺動ボス３０１を中心に揺動可能である。一方、アーム５の左端からは、蓋体揺動ボス５１が突設されている。蓋体揺動ボス５１は、前記蓋体側ギア４２の揺動孔４２０に挿入されている。したがって、蓋体４は、蓋体揺動ボス５１を中心に揺動可能である。一対のアーム５のうち後方のアーム５の揺動孔５０に挿入されるアーム揺動ボス３０１には、スプリング６０が環装されている。スプリング６０の一端は、前記スプリング止着ボス３０４に止着されている。スプリング６０の他端は、アーム５に止着されている。また、後方のアーム５には、弧状のダンパ用ギア５２が配置されている。ダンパ用ギア５２は、前記オイルダンパ６１と噛合している。
【００２０】
次に、本実施形態の開閉機構の開位置から閉位置への動きについて説明する。図２に、本実施形態の開閉機構の閉位置における短手方向透過断面図を示す。図３に、同開閉機構の開位置における短手方向透過断面図を示す。
【００２１】
図２に示す閉位置において、矢印ａ方向に蓋体４に操作力を加えると、組み付け枠２０後縁に枢支されているピン７がハートカム４１から外れる。スプリング６０は、アーム５を開方向に常時付勢している。このため、ピン７が外れると、スプリング６０の付勢力により、アーム５は、アーム揺動ボス３０１を中心に、矢印ｂ方向に揺動する。箱体側ギア３０２と蓋体側ギア４２とは噛合している。したがって、蓋体４は、アーム揺動ボス３０１を中心に揺動（公転）する。また、揺動の際、蓋体４は、蓋体揺動ボス５１を中心に揺動（自転）する。すなわち、蓋体４は、矢印ｃ方向に移動し蓋体収容隙間３１２に入り込む。なお、アーム５のダンパ用ギア５２とオイルダンパ６１とは噛合している。このため、アーム５および蓋体４の揺動速度は規制されている。蓋体４が蓋体収容隙間３１２内にほぼ垂直に収容されると、図３に示す開位置になる。このようにして、閉位置から開位置への切り替えが行われる。
【００２２】
次に、切り替え時の枠側ガイドリブおよび箱体側ガイドリブに対する被ガイド凹部の動きについて説明する。図４に、枠側ガイドリブおよび箱体側ガイドリブと被ガイド凹部との位置関係を概念図で示す。枠側ガイドリブ２１ａの上端のリブ幅Ｌ１は、被ガイド凹部４００の凹部幅Ｓとほぼ等しい。このため、閉位置においては、櫛歯４０ａと櫛歯４０ｂとの間に、枠側ガイドリブ２１ａが、隙間無く入り込んでいる。したがって、蓋体と組み付け枠との間にがたつきが発生しない。
【００２３】
箱体側ガイドリブ３１１ａの上下方向中間はくびれている。このため、中間部分のリブ幅Ｌ２は、被ガイド凹部４００の凹部幅Ｓよりも小さい。したがって、開閉途中位置においては、櫛歯４０ａおよび櫛歯４０ｂが、箱体側ガイドリブ３１１ａに干渉しない。すなわち、蓋体が箱体に干渉しない。
【００２４】
箱体側ガイドリブ３１１ａの下端のリブ幅Ｌ１は、被ガイド凹部４００の凹部幅Ｓとほぼ等しい。このため、開位置においては、上記閉位置同様に、櫛歯４０ａと櫛歯４０ｂとの間に、枠側ガイドリブ２１ａが、隙間無く入り込んでいる。したがって、蓋体と組み付け枠との間にがたつきが発生しない。
【００２５】
次に、本実施形態の開閉機構の作用効果について説明する。本実施形態の開閉機構１によると、開位置および閉位置のリブ幅Ｌ１と、開閉途中位置におけるリブ幅Ｌ２と、凹部幅Ｓとが、Ｌ２＜Ｓ＝Ｌ１の関係を有している。このため、開位置および閉位置において、蓋体４のがたつきを抑制することができる。一方、開閉途中位置において、蓋体４の開閉抵抗を小さくすることができる。
【００２６】
また、枠側ガイドリブ２１ａ、箱体側ガイドリブ３１１ａおよび被ガイド凹部４００は、蓋体４の長手方向（前後方向）ほぼ中央に配置されている。このため、蓋体４の長手方向ほぼ中央に、がたつき抑制の基準位置が設定されることになる。したがって、組み付け枠２０と蓋体４との間の隙間の偏在を抑制することができる。
【００２７】
また、枠側ガイドリブ２１ａおよび箱体側ガイドリブ３１１ａは、開閉時における被ガイド凹部４００の全軌道に亘って配置されている。このため、開閉途中位置においても、Ｌ２＜Ｓによる所定の遊びを確保しながら、蓋体４のがたつきを抑制することができる。
【００２８】
また、被ガイド凹部４００と枠側ガイドリブ２１ａとにより、組み付け時における蓋体４の組み付け誤差を吸収することができる。すなわち、蓋体４と組み付け枠２０との位置合わせを行うことができる。したがって、閉位置における蓋体４と組み付け枠２０との間の隙間を小さくすることができる。また、隙間の偏在を抑制することができる。また、被ガイド凹部４００は、櫛歯４０ａ、４０ｂを利用して配置されている。このため、部品点数が少なくて済む。
【００２９】
（２）第二実施形態
本実施形態と第一実施形態との相違点は、箱体側ガイドリブが上下方向に連続していない点である。したがって、ここでは相違点についてのみ説明する。図５に、本実施形態の開閉機構の枠側ガイドリブおよび箱体側ガイドリブと被ガイド凹部との位置関係を概念図で示す。なお、図４と対応する部位については同じ符号で示す。図に示すように、箱体側ガイドリブ３１１ａは、上下方向に分断している。本実施形態のように箱体側ガイドリブ３１１ａが不連続であっても、開位置および閉位置における蓋体のがたつきを抑制することができる。
【産業上の利用可能性】
【００３０】
以上、本発明の収容装置の開閉機構の実施の形態について説明した。しかしながら、実施の形態は上記形態に特に限定されるわけではない。当業者が行いうる種々の変形的形態、改良的形態で実施することも可能である。
【００３１】
例えば、上記実施形態においては、リブ（枠側ガイドリブ２１ａ、箱体側ガイドリブ３１１ａ）を固定部材（センターコンソール２、箱体３）側に、凹部（被ガイド凹部４００）を可動部材（蓋体４）側に、それぞれ配置した。しかし、これらの配置は逆であってもよい。
【００３２】
また、枠側ガイドリブ２１ａ、箱体側ガイドリブ３１１ａ、被ガイド凹部４００の蓋体４長手方向における位置も特に限定しない。また、枠側ガイドリブ２１ａ、箱体側ガイドリブ３１１ａ、被ガイド凹部４００の配置数も特に限定しない。また、上記実施形態における上下前後左右方向は、開閉機構の設置方向を特に限定するものではない。各部材の相対的な位置関係が確保されていればよい。
【００３３】
また、本発明の開閉機構は、蓋体が揺動するタイプの収容装置に限らず、例えば蓋体がスライドするタイプの収容装置に利用してもよい。この場合、蓋体側縁に被ガイド凸部を設け、基体裏側に被ガイド凸部が摺接するガイド溝を設け、被ガイド凸部とガイド溝とにより、蓋体の軌道を規制してもよい。そして、ガイド溝長手方向両端の閉位置、開位置に相当する部位の溝幅を狭くすることにより、ガイド溝と被ガイド凸部との間隔を調整してもよい。こうすると、ガイド溝を本発明のガイド部として、被ガイド凸部を本発明の被ガイド部として、利用することができる。このため、部品点数が少なくて済む。
【図面の簡単な説明】
【００３４】
【図１】第一実施形態の収容装置の開閉機構の分解斜視図である。
【図２】同収容装置の開閉機構の閉位置における短手方向透過断面図である。
【図３】同収容装置の開閉機構の開位置における短手方向透過断面図である。
【図４】同収容装置の開閉機構の枠側ガイドリブおよび箱体側ガイドリブと被ガイド凹部との位置関係を示す概念図である。
【図５】第二実施形態の収容装置の開閉機構の枠側ガイドリブおよび箱体側ガイドリブと被ガイド凹部との位置関係を示す概念図である。
【図６】従来のカップホルダの模式図である。
【符号の説明】
【００３５】
１：収容装置の開閉機構、２：センターコンソール（基体）、２０：組み付け枠、２１：枠側ガイドリブ、２１ａ：枠側ガイドリブ（ガイドリブ）、３：箱体、３０：本体部、３００：収容口、３０１：アーム揺動ボス、３０２：箱体側ギア、３０３：ダンパ固定筒部、３０４：スプリング止着ボス、３１：蓋体収容部、３１０：弧状ガイド壁、３１１：箱体側ガイドリブ、３１１ａ：箱体側ガイドリブ（ガイドリブ）、３１２：蓋体収容隙間、４：蓋体、４０：櫛歯、４０ａ：櫛歯、４０ｂ：櫛歯、４００：被ガイド凹部、４１：ハートカム、４２：蓋体側ギア、４２０：揺動孔、５：アーム、５０：揺動孔、５１：蓋体揺動ボス、５２：ダンパ用ギア、６０：スプリング、６１：オイルダンパ、７：ピン。
【図１】
2005047434.tif 000003
【図２】
2005047434.tif 000004
【図３】
2005047434.tif 000005
【図４】
2005047434.tif 000006
【図５】
2005047434.tif 000007
【図６】
2005047434.tif 000008